【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】情報処理装置、暗号化方法、暗号復号方法、記録装置、記録方法、再生装置及び再生方法
【手続補正２】
【補正対象書類名】明細書
【補正対象項目名】特許請求の範囲
【補正方法】変更
【補正の内容】
【特許請求の範囲】
【請求項１】  ディジタルデータを誤り訂正符号化し、該ディジタルデータおよびパリティチェックコードからなる誤り訂正符号を生成する誤り訂正符号化手段と、
上記誤り訂正符号に含まれるディジタルデータの少なくとも一部とパリティチェックコードの少なくとも一部の双方を暗号化する暗号化手段とを有することを特徴とする情報処理装置。
【請求項２】  ディジタルデータを誤り訂正符号化し、該ディジタルデータとパリティチェックコードとからなる誤り訂正符号を生成するステップと、
上記誤り訂正符号に含まれるディジタルデータの少なくとも一部とパリティチェックコードの少なくとも一部の双方を暗号化するステップとを有することを特徴とする暗号化方法。
【請求項３】  ディジタルデータの少なくとも一部とパリティチェックコードの少なくとも一部の双方が暗号化された誤り訂正符号の暗号を復号する暗号復号手段と、
上記暗号復号手段で復号された誤り訂正符号を復号する復号手段とを有することを特徴とする情報処理装置。
【請求項４】  ディジタルデータの少なくとも一部とパリティチェックコードの少なくとも一部の双方が暗号化された誤り訂正符号の暗号を復号する暗号復号ステップと、
上記暗号復号ステップで復号された誤り訂正符号を復号するステップとを有することを特徴とする暗号復号方法。
【請求項５】  ディジタルデータを誤り訂正符号化して誤り訂正符号を生成する誤り訂正符号化手段と、
上記誤り訂正符号を２重に暗号化する暗号化手段とを有することを特徴とする情報処理装置。
【請求項６】  ディジタルデータを誤り訂正符号化して誤り訂正符号を生成するステップと、
上記誤り訂正符号を２重に暗号化するステップとを有することを特徴とする暗号化方法。
【請求項７】  ２重に暗号化された誤り訂正符号の暗号を復号する暗号復号手段と、
上記暗号復号手段で復号された誤り訂正符号を復号する復号手段とを有することを特徴とする情報処理装置。
【請求項８】  ２重に暗号化された誤り訂正符号の暗号を復号する暗号復号ステップと、
上記暗号復号ステップで復号された誤り訂正符号を復号するステップとを有することを特徴とする暗号復号方法。
【請求項９】  複数の記録エリアの１つに記録される誤り訂正符号を生成する生成手段と、
上記記録エリア毎に、上記誤り訂正符号を暗号化するか否かを選択する暗号化手段と、
上記暗号化手段から出力された誤り訂正符号を上記複数の記録エリアの１つに記録する記録手段とを有することを特徴とする記録装置。
【請求項１０】  複数の記録エリアの１つに記録される誤り訂正符号を生成するステップと、
上記記録エリア毎に、上記誤り訂正符号を暗号化するか否かを選択するステップと、
暗号化された誤り訂正符号を上記複数の記録エリアの１つに記録するステップとを有することを特徴とする記録方法。
【請求項１１】  複数の記録エリアを再生する再生手段と、
上記複数の記録エリアに記録された誤り訂正符号の暗号を復号する暗号復号手段と、
上記暗号復号手段で復号された誤り訂正符号を復号する復号手段とを有することを特徴とする再生装置。
【請求項１２】  複数の記録エリアを再生するステップと、
上記複数の記録エリアに記録された誤り訂正符号の暗号を復号する暗号復号ステップと、
上記暗号復号ステップで復号された誤り訂正符号を復号するステップとを有することを特徴とする再生方法。
【手続補正３】
【補正対象書類名】明細書
【補正対象項目名】０００１
【補正方法】変更
【補正の内容】
【０００１】
【発明の属する技術分野】
本発明は、情報処理装置、記録装置、再生装置、暗号化方法、暗号復号方法、記録方法及び再生方法に関し、特に、画像や音声等からなるディジタルデータの著作権を保護するための技術に関するものである。
【手続補正４】
【補正対象書類名】明細書
【補正対象項目名】０００６
【補正方法】変更
【補正の内容】
【０００６】
本発明は、上述のような問題を解決することを目的とする。例えば、ディジタルデータのセキュリティ能力を更に高め、当該ディジタルデータに対する著作権の保護や不正コピーの防止を実現できるようにすることを目的とする。
【手続補正５】
【補正対象書類名】明細書
【補正対象項目名】０００７
【補正方法】変更
【補正の内容】
【０００７】
【課題を解決するための手段】
本発明に係る情報処理装置は、ディジタルデータを誤り訂正符号化し、該ディジタルデータおよびパリティチェックコードからなる誤り訂正符号を生成する誤り訂正符号化手段と、上記誤り訂正符号に含まれるディジタルデータの少なくとも一部とパリティチェックコードの少なくとも一部の双方を暗号化する暗号化手段とを有することを特徴とする。
本発明に係る暗号化方法は、ディジタルデータを誤り訂正符号化し、該ディジタルデータとパリティチェックコードとからなる誤り訂正符号を生成するステップと、上記誤り訂正符号に含まれるディジタルデータの少なくとも一部とパリティチェックコードの少なくとも一部の双方を暗号化するステップとを有することを特徴とする。
【手続補正６】
【補正対象書類名】明細書
【補正対象項目名】０００８
【補正方法】変更
【補正の内容】
【０００８】
本発明に係る他の情報処理装置は、ディジタルデータの少なくとも一部とパリティチェックコードの少なくとも一部の双方が暗号化された誤り訂正符号の暗号を復号する暗号復号手段と、上記暗号復号手段で復号された誤り訂正符号を復号する復号手段とを有することを特徴とする。
本発明に係る暗号復号方法は、ディジタルデータの少なくとも一部とパリティチェックコードの少なくとも一部の双方が暗号化された誤り訂正符号の暗号を復号する暗号復号ステップと、上記暗号復号ステップで復号された誤り訂正符号を復号するステップとを有することを特徴とする。
【手続補正７】
【補正対象書類名】明細書
【補正対象項目名】０００９
【補正方法】変更
【補正の内容】
【０００９】
本発明に係る他の情報処理装置は、ディジタルデータを誤り訂正符号化して誤り訂正符号を生成する誤り訂正符号化手段と、上記誤り訂正符号を２重に暗号化する暗号化手段とを有することを特徴とする。
本発明に係る他の暗号化方法は、ディジタルデータを誤り訂正符号化して誤り訂正符号を生成するステップと、上記誤り訂正符号を２重に暗号化するステップとを有することを特徴とする。
【手続補正８】
【補正対象書類名】明細書
【補正対象項目名】００１０
【補正方法】変更
【補正の内容】
【００１０】
本発明に係る他の情報処理装置は、２重に暗号化された誤り訂正符号の暗号を復号する暗号復号手段と、上記暗号復号手段で復号された誤り訂正符号を復号する復号手段とを有することを特徴とする。
本発明に係る他の暗号復号方法は、２重に暗号化された誤り訂正符号の暗号を復号する暗号復号ステップと、上記暗号復号ステップで復号された誤り訂正符号を復号するステップとを有することを特徴とする。
【手続補正９】
【補正対象書類名】明細書
【補正対象項目名】００１１
【補正方法】変更
【補正の内容】
【００１１】
本発明に係る記録装置は、複数の記録エリアの１つに記録される誤り訂正符号を生成する生成手段と、上記記録エリア毎に、上記誤り訂正符号を暗号化するか否かを選択する暗号化手段と、上記暗号化手段から出力された誤り訂正符号を上記複数の記録エリアの１つに記録する記録手段とを有することを特徴とする。
本発明に係る記録方法は、複数の記録エリアの１つに記録される誤り訂正符号を生成するステップと、上記記録エリア毎に、上記誤り訂正符号を暗号化するか否かを選択するステップと、暗号化された誤り訂正符号を上記複数の記録エリアの１つに記録するステップとを有することを特徴とする。
【手続補正１０】
【補正対象書類名】明細書
【補正対象項目名】００１２
【補正方法】変更
【補正の内容】
【００１２】
本発明に係る再生装置は、複数の記録エリアを再生する再生手段と、上記複数の記録エリアに記録された誤り訂正符号の暗号を復号する暗号復号手段と、上記暗号復号手段で復号された誤り訂正符号を復号する復号手段とを有することを特徴とする。
本発明に係る再生方法は、複数の記録エリアを再生するステップと、上記複数の記録エリアに記録された誤り訂正符号の暗号を復号する暗号復号ステップと、上記暗号復号ステップで復号された誤り訂正符号を復号するステップとを有することを特徴とする。
【手続補正１１】
【補正対象書類名】明細書
【補正対象項目名】００５０
【補正方法】変更
【補正の内容】
【００５０】
【発明の効果】
本発明によれば、ディジタルデータのセキュリティ能力を更に高めることができ、当該ディジタルデータに対する著作権の保護や不正コピーの防止も実現することもできるようになる。
【手続補正１２】
【補正対象書類名】明細書
【補正対象項目名】００５１
【補正方法】削除
【補正の内容】
【手続補正１３】
【補正対象書類名】明細書
【補正対象項目名】００５２
【補正方法】削除
【補正の内容】